(57)【特許請求の範囲】
【請求項１】
表示装置における無彩色領域の色再現特性を取得する特性取得手段と、
前記特性取得手段により取得された色再現特性に基づいて、表示装置において表現可能な色空間を示す入力色空間の色再現域から出力装置の色再現域への変換手法を決定する変換手法決定手段と
を有し、
前記特性取得手段は、複数の色成分のそれぞれが等しい値である色と、当該色の少なくともいずれかの色成分が変更された色とを、前記表示装置に表示した際の比較結果に基づいて、前記色再現特性を取得し、
前記変換手法決定手段は、前記特性取得手段により取得された前記色再現特性に基づいて算出される色のデータ点を示す加法混色の着目点を中心として、当該加法混色の着目点の補色方向に色相が変換されるように変換手法を決定する
画像処理装置。
【請求項２】
前記変換方法決定手段は、前記入力色空間において前記加法混色の着目点に隣り合う１次色に近い色ほど色相の変換量を小さくする
請求項１に記載の画像処理装置。
【請求項３】
前記特性取得手段は、複数の色成分のそれぞれが等しい値である色の少なくともいずれかの色成分が変更された複数の色が表示装置に表示された結果に基づいて、前記色再現特性を取得する
請求項１又は２に記載の画像処理装置。
【請求項４】
前記特性取得手段は、複数の色成分のそれぞれが等しい値である複数の色と、当該色の少なくともいずれかの色成分が変更された色とが表示装置に表示された結果に基づいて、前記色再現特性を取得する
請求項１乃至３のいずれかに記載の画像処理装置。
【請求項５】
前記特性取得手段は、複数の色成分のそれぞれが等しい値である色の少なくともいずれかの色成分が変更された色と、当該色の補色とが表示装置に表示された結果に基づいて、前記色再現特性を取得する
請求項１乃至３のいずれかに記載の画像処理装置。
【請求項６】
前記特性取得手段は、入力デバイスの色再現特性を示すプロファイルと予め決められた色再現特性を示すプロファイルとの比較結果に基づいて、補正対象の色再現特性を取得する
請求項１乃至３のいずれかに記載の画像処理装置。
【請求項７】
前記変換方法決定手段は、前記特性取得手段により取得された色再現特性に基づいて、入力色空間から出力色空間へ変換するための色変換係数を決定する
請求項１乃至６のいずれかに記載の画像処理装置。
【請求項８】
前記変換手法決定手段により決定された変換手法を用いて、入力画像を加法混色系の色空間から減法混色系の色空間に色変換する色変換手段をさらに有する
請求項１乃至７のいずれかに記載の画像処理装置。
【請求項９】
コンピュータを含む画像処理装置において、
表示装置における無彩色領域の色再現特性を取得する特性取得ステップと、
前記取得された色再現特性に基づいて、表示装置において表現可能な色空間を示す入力色空間の色再現域から出力装置の色再現域への変換手法を決定する変換手法決定ステップと
を前記画像処理装置のコンピュータに実行させ、
前記特性取得ステップは、複数の色成分のそれぞれが等しい値である色と、当該色の少なくともいずれかの色成分が変更された色とを、前記表示装置に表示した際の比較結果に基づいて、前記色再現特性を取得し、
前記変換手法決定ステップは、前記色再現特性に基づいて算出される色のデータ点を示す加法混色の着目点を中心として、当該加法混色の着目点の補色方向に色相が変換されるように変換手法を決定する
プログラム。
【発明の詳細な説明】
【技術分野】
【０００１】
本発明は、画像処理装置及びプログラムに関する。
【背景技術】
【０００２】
従来から、モニタ等の入力デバイスとプリンタ等の出力デバイスとでは、色再現の印象が異なる場合がある。これは、入力色再現域と出力色再現域とが異なるためである。したがって、一般的には、モニタのＩＣＣプロファイルを変更する等の対策が行われている。
【０００３】
特許文献１では、複数のデバイスと接続可能な画像処理装置であって、該デバイス毎の特性を考慮した適切な色補正を簡易な構成で実現する画像処理装置が開示されている。
【０００４】
【特許文献１】特開２００１−１４４９８０号公報
【発明の開示】
【発明が解決しようとする課題】
【０００５】
しかしながら、特許文献１に記載された手法では、出力色再現域への色変換が、入力色再現特性に基いて行われない。このため、印刷処理が行われた場合、モニタに表示された印象を保って出力することができない場合がある。
【０００６】
本発明は、入力デバイスで視認される色の印象を出力デバイスで再現することができる画像処理装置を提供することを目的とする。
【課題を解決するための手段】
【０００７】
本発明に係る画像処理装置は、表示装置における加法混色の色再現特性の一部を取得する特性取得手段と、前記特性取得手段により取得された色再現特性に基づいて、入力色空間の色再現域から出力装置の色再現域への変換手法を決定する変換手法決定手段とを有する。本発明によれば、入力デバイスで視認される色の印象を出力デバイスで再現することができる。
【０００８】
好ましくは、前記特性取得手段は、無彩色領域の色再現特性を取得する。本発明によれば、入力デバイスの全ての領域における特性を取得していないにもかかわらず、入力デバイスで視認される色空間全体の印象をモニタと合わせることができる。
【０００９】
好ましくは、前記特性取得手段は、複数の色成分のそれぞれが等しい値である色と、当該色の少なくともいずれかの色成分が変更された色とが表示装置に表示された結果に基づいて選択された色情報を取得する。本発明によれば、無彩色でないにもかかわらず無彩色であると判定された色の特性を色空間全体に用いることができる。
【００１０】
好ましくは、前記特性取得手段は、複数の色成分のそれぞれが等しい値である色の少なくともいずれかの色成分が変更された複数の色が表示装置に表示された結果に基づいて選択された色情報を取得する。本発明によれば、無彩色でないにもかかわらず無彩色であると判定された色の特性を色空間全体に用いることができる。
【００１１】
好ましくは、前記特性取得手段は、複数の色成分のそれぞれが等しい値である複数の色と、当該色の少なくともいずれかの色成分が変更された色とが表示装置に表示された結果に基づいて選択された色情報を取得する。本発明によれば、無彩色でないにもかかわらず無彩色であると判定された色の特性を色空間全体に用いることができる。
【００１２】
好ましくは、前記特性取得手段は、複数の色成分のそれぞれが等しい値である色の少なくともいずれかの色成分が変更された色と、当該色の補色とが表示装置に表示された結果に基づいて選択された色情報を取得する。本発明によれば、無彩色でないにもかかわらず無彩色であると判定された色の特性を色空間全体に用いることができる。
【００１３】
好ましくは、前記特性取得手段は、入力デバイスのプロファイルと予め決められたプロファイルとの比較結果から補正対象の色情報を取得する。本発明によれば、ユーザが無彩色を判定する手間を省くことができる。
【００１４】
好ましくは、前記変換方法決定手段は、前記特性取得手段により取得された色情報に基づいて算出される色成分を中心として、当該色成分の補色に基づいて色相が変換されるように変換手法を決定する。本発明によれば、無彩色領域の特性に基づいて色空間全体が補正されるので、色空間全体の階調再現性を保った上で、例えばグラデーション等の印象をモニタに合わせることができる。
【００１５】
好ましくは、前記変換方法決定手段は、入力色空間の１次色に近い色ほど色相の変換量を小さくする。本発明によれば、色再現域が略一致する場合においても、色再現域内での特性の相違を表すことができる。
【００１６】
好ましくは、前記変換方法決定手段は、前記特性取得手段により取得された色情報と、デバイスに依存しない色空間における無彩色情報とに基づいて変換手法を決定する。本発明によれば、無彩色領域の特性に基づいて色空間全体が補正されるので、色空間全体の階調再現性を保った上で、例えばグラデーション等の印象をモニタに合わせることができる。
【００１７】
好ましくは、前記変換方法決定手段は、入力色空間から出力色空間へ変換するための色変換係数を決定する。本発明によれば、この変換係数を含む圧縮・写像関数を用いて、入力デバイスで視認される色の印象を出力デバイスで再現することができる。
【００１８】
好ましくは、前記変換手法決定手段により決定された変換手法を用いて、入力画像を加法混色系の色空間から減法混色系の色空間に色変換する色変換手段をさらに有する。本発明によれば、入力デバイスで視認される色の印象で、画像を、複合機、プリンタ等の画像形成装置から出力することができる。
【００１９】
また、本発明に係るプログラムは、コンピュータを含む画像処理装置において、表示装置における加法混色の色再現特性の一部を取得する特性取得ステップと、前記取得された色再現特性に基づいて、入力色空間の色再現域から出力装置の色再現域への変換手法を決定する変換手法決定ステップとを前記画像処理装置のコンピュータに実行させる。
【発明の効果】
【００２０】
本発明によれば、入力デバイスで視認される色の印象を出力デバイスで再現することができる。
【発明を実施するための最良の形態】
【００２１】
まず、本発明の第１の実施形態に係る画像処理装置１０を説明する。
図１は、本実施形態に係る画像処理装置１０のハードウェア構成を示す図である。
図１に示すように、画像処理装置１０は、ＣＰＵ１２、メモリ１４、ハードディスク駆動装置等の記憶装置１６、ネットワークを介して外部のコンピュータ（不図示）とデータの通信を行う通信装置１８、液晶ディスプレイ等の表示装置２０、及びキーボードやマウスなどを含む入力装置２２を有する。これらの構成要素は、システムバス２４を介して互いに接続されている。
【００２２】
図２は、本実施形態に係る画像処理装置１０上で動作する画像処理プログラム３０の構成を示すブロック図である。
図２に示すように、画像処理プログラム３０は、第１の色空間変換部３２、色再現域変換部３４、第２の色空間変換部３６、特性取得部３８及び変換手法決定部４０を有する。画像処理プログラム３０は、画像処理装置１０のメモリ１４にロードされ、ＣＰＵ１２により実行される。なお、画像処理プログラム３０の全部又は一部の機能は、画像処理装置１０に設けられたハードウェアにより実現されてもよい。
【００２３】
画像処理プログラム３０において、第１の色空間変換部３２は、記憶装置１６に記憶されている画像データを読み出し、又は通信装置１８を介して外部のコンピュータから送信される画像データを受け付け、入力画像データとして取得する。入力画像データは、加法混色系の色空間（例えば、ｓＲＧＢ色空間）に属し、各画素は、ＲＧＢ各８ビットで表現されている。第１の色空間変換部３２は、所定のプロファイルを用いて、入力画像データをデバイスに依存しない色空間の画像データに変換し、色再現域変換部３４に対して出力する。例えば、第１の色空間変換部３２は、入力画像を測色値であるＣＩＥＬＡＢ（Ｌ＊，ａ＊，ｂ＊）色空間に変換する。
【００２４】
色再現域変換部３４は、後述する変換手法決定部４０により決定された変換手法を用いて、画像データを入力色空間の色再現域から出力装置の色再現域に変換する。色再現域は、表示装置又は出力装置が再現できる色の範囲（色域）を表す。また、変換手法は、圧縮・写像関数により実現される。色再現域変換部３４は、出力装置の色再現域に変換された画像データを第２の色空間変換部３６に対して出力する。
【００２５】
第２の色空間変換部３６は、出力装置の色再現域に変換された画像データを色再現域変換部３４から受け付け、所定のプロファイルを用いて、この画像データを印刷処理に適した表色系のＣＭＹＫ色空間の画像データに変換し、出力画像データとして出力する。
【００２６】
したがって、第１の色空間変換部３２、色再現域変換部３４及び第２の色空間変換部３６は、変換手法決定部４０により決定された変換手法を用いて、入力画像を加法混色系の色空間から減法混色系の色空間に色変換する色変換手段を構成する。なお、第１の色空間変換部３２及び第２の色空間変換部３６は、予め記憶されているＬＵＴ（色変換テーブル）を用いて色空間変換処理を行ってもよい。
【００２７】
特性取得部３８は、表示装置２０における加法混色の色再現特性の一部を取得して、変換手法決定部４０に対して出力する。例えば、特性取得部３８は、加法混色の色再現特性の一部として、無彩色領域の特性を取得する。より具体的には、特性取得部３８は、複数の色成分（例えば、ＲＧＢ）のそれぞれが等しい値である色（無彩色）と、当該無彩色の少なくともいずれかの色成分が変更された色とを表示装置２０に表示し、これらの色の中からユーザにより無彩色であるとして選択された色情報を取得し、選択された色情報と無彩色とのずれを算出する。なお、加法混色の特性を取得する手法については、後で詳述する。
【００２８】
変換手法決定部４０は、特性取得部３８により取得された色再現特性に基づいて、入力色空間の色再現域から出力装置の色再現域への変換手法を決定する。具体的には、変換手法決定部４０は、色再現特性において示される無彩色のずれ量に応じて、入力色空間から出力色空間へ変換するための色変換係数を決定し、この色変換係数を含む圧縮・写像関数を生成して色再現域変換部３４に対して出力する。なお、変換方法を決定する手法については、後で詳述する。
【００２９】
図３は、特性取得部３８による加法混色の特性を取得する手法を詳細に説明する図である。
図３に示すように、画像処理プログラム３０の特性取得部３８は、無彩色と、当該無彩色の少なくともいずれかの色成分が変更された複数の色（比較対象色）とを表示装置２０に表示する。
【００３０】
例えば、無彩色は、ＲＧＢの各色成分が所定値Ａである色（Ｒ＝Ｇ＝Ｂである色）であり、比較対象色は、当該無彩色の１又は２の色成分がαだけ変化された値（Ａ−α）である色である。本実施形態では、６つの比較対象色が、前景の色として表示装置２０に表示され、無彩色が、比較対象色の背景色として表示される。
【００３１】
ユーザは、例えばマウス等の入力装置２２を用いて、無彩色であると判定した色の領域をクリックし、当該色を無彩色であると判定したことを入力する。画像処理プログラム３０の特性取得部３８は、当該入力を受け付け、ユーザにより選択された色情報を取得する。したがって、特性取得部３８は、無彩色の色情報と、無彩色として選択された比較対象色との色情報とから、色再現特性を取得する。
【００３２】
具体的には、ユーザにより、無彩色が選択された場合、特性取得部３８は、表示装置２０についての色再現特性の色バランスは保たれていると判断する。また、ＲＧＢのうち１の色成分が変化された色が選択された場合、特性取得部３８は、加法混色が当該色成分の方向にずれていると判断する。また、ＲＧＢのうち２の色成分が変化された色が選択された場合、特性取得部３８は、当該２の色成分が加法混色からずれていると判断する。
【００３３】
即ち、特性取得部３８は、選択された色情報の色成分と無彩色の色成分とを比較し、異なる色成分及び当該色成分の差分（ずれ量）を解析する。したがって、このずれ量が補正されるように、圧縮・写像関数が、変換手法決定部４０により決定される。
【００３４】
図４は、変換手法決定部４０による変換方法を決定する手法を詳細に説明する図である。
図４（Ａ）は、色相の変換を示す図である。図４（Ａ）に示すように、画像処理プログラム３０の変換手法決定部４０は、特性取得部３８により取得された色情報に基づいて算出される色成分を中心として、当該色成分の補色に基づいて色相が変換されるように変換手法を決定する。即ち、加法混色の特性が取得される際、ＲＧＢのうち１又は２の色成分が変化された色が選択された場合、変換手法決定部４０は、当該色成分を中心とし、ずれ量に応じて色相が変換されるようにする。なお、以降、特性取得部３８により取得された色情報を、加法混色の着目点ともいう。
【００３５】
例えば、加法混色の着目点が、無彩色の画像データからＲ成分だけが変化された色である場合、即ち当該色がユーザにより選択された場合、色相の変換の中心は、Ｒとなる。この場合、色相変換の対象は、ＲからＧまでの領域及びＲからＢまでの領域であり、変換手法は、当該領域の色相がＲ成分の補色であるＣ領域の方向へ変換されるものとなる。ただし、Ｃ（シアン）は、Ｒ成分と補色の関係であるので、変換されない。また、Ｙ（イエロー），Ｍ（マゼンタ），Ｃ（シアン）の純色領域は、色相変換の対象から外される。
【００３６】
図４（Ｂ）は、色相と色相の変換量との関係を示す図である。図４（Ｂ）に示すように、変換手法決定部４０は、入力色空間の１次色（Ｒ，Ｇ，Ｂ）に近い色ほど色相の変換量を小さくなるように変換手法を決定する。また、加法混色の着目点が、無彩色の画像データのＲ成分に所定値だけ加算された色である場合、色相の変化量はプラスとなり、選択された色が、無彩色の画像データのＲ成分から所定値だけ減じられた色である場合、色相の変化量はマイナスとなる。
【００３７】
このようにして、変換手法決定部４０は、色相の変化の方向及び変化量を決定し、この変化及び変化量を反映する圧縮・写像関数を生成する。
【００３８】
図５は、本発明の実施形態に係る画像処理装置１０による画像処理（Ｓ１０）のフローチャートを示す。
図５に示すように、ステップ１００（Ｓ１００）において、画像処理装置１０上で動作する画像処理プログラム３０の特性取得部３８は、無彩色及び比較対象色を表示装置２０に表示する。ユーザは、表示された色の中から無彩色を選択し、当該色の領域を入力装置２２を用いて入力する。例えば、ユーザは、当該色の領域をマウスを用いてクリックする。
【００３９】
ステップ１０２（Ｓ１０２）において、特性取得部３８は、ユーザにより選択された色情報を取得したか否かを判定する。特性取得部３８は、色情報を取得した場合にはＳ１０４の処理に進み、そうでない場合にはＳ１０２の処理に戻る。
【００４０】
ステップ１０４（Ｓ１０４）において、特性取得部３８は、選択された色情報と無彩色とのずれを算出して、無彩色領域の特性を取得する。より具体的には、特性取得部３８は、選択された色情報と無彩色との間で異なる色成分とそのずれ量を解析する。
【００４１】
ステップ１０６（Ｓ１０６）において、画像処理プログラム３０の変換手法決定部４０は、取得された特性に基づいて、圧縮・写像関数を決定する。決定された圧縮・写像関数は、メモリ１４及び記憶装置１６の少なくともいずれかに格納される。
【００４２】
ステップ１０８（Ｓ１０８）において、画像処理プログラム３０の色再現域変換部３４は、変換手法決定部４０により決定された圧縮・写像関数を用いて、色再現域を変換する。具体的には、色再現域変換部３４は、入力画像データ（ＲＧＢ）が第１の色空間変換部３２により色空間を変更されて生成された画像データの色再現域を変換して、第２の色空間変換部３６に対して出力する。この画像データは、第２の色空間変換部３６により印刷に適した例えばＣＭＹＫ色空間に変換されて出力画像データとして出力される。
【００４３】
このように、加法混色の特性が取得され、圧縮・写像関数が決定され、この圧縮・写像関数が色再現域に用いられる。このため、無彩色特性が補正されるので、表示装置２０で視認される色の印象をプリンタ等の出力装置で再現することができる。
【００４４】
次に、図６乃至図９を用いて、加法混色の特性を取得する手法の異なる実施例を説明する。
図６は、特性取得部３８による加法混色の特性を取得する手法の第２の実施例を示す図である。
図６に示すように、本実施例では、比較対象色は、無彩色の背景として表示され、無彩色は、前景の色として比較対象色の内側に表示される。なお、無彩色及び比較対象色の画素値は、第１の実施例と同様である。したがって、ユーザは、このように表示された無彩色の領域及び比較対象色の領域から、無彩色であると判定した色の領域を入力装置２２を用いて入力する。
【００４５】
図７は、特性取得部３８による加法混色の特性を取得する手法の第３の実施例を示す図である。
図７（Ａ）に示すように、本実施例では、無彩色ｇは、中心に表示され、比較対象色ａ−ｆ及びａ’−ｆ’は、無彩色ｇの周囲に表示される。ここで、無彩色ｇは、Ｒ＝Ｇ＝Ｂである色であり、比較対象色ａ−ｆは、無彩色の色成分のうち少なくともいずれかの色成分がαだけ変更された色であり、比較対象色ａ’−ｆ’は、無彩色の色成分のうち少なくともいずれかの色成分がβ（β＞α）だけ変更された色である。
【００４６】
より具体的には、比較対象色ａ−ｆは、無彩色ｇの外側に、色相方向に配置されて表示される。また、比較対象色ａ’−ｆ’は、比較対象色ａ−ｆのさらに同心円外側に、色相方向に配置されて表示される。
【００４７】
また、図７（Ｂ）に示されるように、画像処理プログラム３０の特性取得部３８は、複数の比較対象色を表示装置２０に表示する。このように、無彩色ｇは、表示されなくてもよい。この場合、ユーザは、表示された比較対象色ａ−ｆ及びａ’−ｆ’の領域から、無彩色であると判定した色の領域を入力する。
【００４８】
図８は、特性取得部３８による加法混色の特性を取得する手法の第４の実施例を示す図である。
図８に示すように、画像処理プログラム３０の特性取得部３８は、複数の無彩色と、当該無彩色の少なくともいずれかの色成分が変更された色とが表示装置２０に表示する。本実施例では、複数の濃度の無彩色ａ１−ａＮ（本例では、Ｎ＝７）及び各濃度の無彩色に対応する比較対象色ｂ１−ｂＮが表示される。ここで、無彩色ａ１−ａ７は、Ｒ＝Ｇ＝Ｂである色であり、無彩色ａ１の濃度が最も高く、Ｎの値が大きくなるのど、濃度は低くなる。また、濃度が低くなるほど、表示される面積は大きくなる。比較対象色ｂ１−ｂ７は、対応する無彩色ａ１−ａ７の色成分のうち少なくともいずれかの色成分が所定値αからβの範囲で変更された色である。
【００４９】
ユーザは、表示された色の領域から、無彩色であると判定した色の領域を入力する。したがって、比較対象色の領域が、ユーザにより無彩色であると判定された場合、画像処理装置１０は、この比較対象色の色成分と当該比較対象色に対応する無彩色の色成分とに基づいて、無彩色領域の特性を取得する。
【００５０】
図９は、特性取得部３８による加法混色の特性を取得する手法の第５の実施例を示す図である。
図９（Ａ）に示すように、画像処理プログラム３０の特性取得部３８は、複数の比較対象色と当該比較対象色の補色とを表示装置２０に表示する。本実施例では、比較対象色ａ−ｃ及び当該比較対象色ａ−ｃの補色ａ’−ｃ’が表示される。ここで、比較対象色ａ−ｆは、無彩色の色成分のうち少なくともいずれかの色成分がβだけ変更された色である。ユーザは、複数の比較対象色とその補色の組のそれぞれにおいて、どちらが無彩色に近いかを判断し、無彩色であると判定した色の領域を入力する。
【００５１】
画像処理装置１０が入力を受け付けると、図９（Ｂ）に示すように、選択された複数の色が表示される。したがって、ユーザは、表示された複数の色の中で最も無彩色に近い色を判断し、その色の領域を入力する。画像処理装置１０は、選択された色と当該色に対応する無彩色とに基づいて、無彩色領域の特性を取得する。
【００５２】
なお、比較対象色に対応する無彩色が、比較対象色及びその補色とともに表示されてもよい。この場合、ユーザは、無彩色、比較対象色及びその補色の中から、無彩色であると判定する色を選択する。
【００５３】
次に、変換方法を決定する手法の異なる実施例を説明する。
本実施例では、取得された色情報とデバイスに依存しない色空間における無彩色情報とに基づいて、変換方法が決定される。より具体的には、ユーザにより無彩色と判定された色情報と、Ｌａｂ表色系においてａ＊＝ｂ＊＝０である色情報とに基づいて、変換方法が決定される。
【００５４】
図１０は、変換手法決定部４０による変換方法を決定する手法の異なる実施例を示す図である。
図１０（Ａ）は、無彩色であると判定された色情報Ａ，Ｂと、この色情報に対応する無彩色Ａｇ，Ｂｇとが、Ｌａｂ表色系において表示される図である。例えば、色情報Ａ，Ｂは、無彩色の画像データからＲ成分だけが変化された色であり、色情報ＡのＲ成分は１２８であり、色情報ＢのＲ成分は１００である。無彩色Ａｇ，Ｂｇは、ａ＊＝ｂ＊＝０である色情報であり、それぞれ色Ａ，Ｂと同値のＬ＊を有する色情報である。
【００５５】
図１０（Ａ）に示すように、変換量δは、色情報Ａ，Ｂと無彩色Ａｇ，Ｂｇとのずれ量に基づいて算出される。ここで、白及び黒の変換量は、略０である。したがって、変換量δは、図中の破線で示される。
【００５６】
図１０（Ｂ）は、ａ＊ｂ＊平面における色情報の変換を示す図である。図１０（Ｂ）に示すように、色情報が、Ａのデータを含む場合（色成分Ｒが１２８である場合）、この色情報は、Ａに対応する変化量δだけ変換される。同様に、色情報が、Ｂのデータを含む場合（色成分Ｒが１００である場合）、この色情報は、Ｂに対応する変化量だけ変換される。
【００５７】
図１０（Ｃ）は、Ｌａｂ表色系における色情報の変換を示す図である。図１０（Ｃ）において、ハッチングされた面は、加法混色の着目点の値を持つ面である。例えば、色情報がＡのデータ（Ｒ＝１２８）を含む面である。図１０（Ｃ）に示すように、本実施例では、この面内は、メッシュ状に細分化され、このメッシュの各格子点に対して、図１０（Ｂ）に示される変換の特性が設定される。即ち、各格子点において、圧縮・写像関数が決定される。画像処理装置１０は、このようにして決定される圧縮・写像関数を用いて、色再現域の変換を行う。
【００５８】
次に、本発明の第２の実施形態に係る画像処理装置１０を説明する。
本実施形態に係る画像処理装置１０は、表示装置２０等の入力デバイスのプロファイルに基づいて加法混色の色再現特性を取得する点で、第１の実施形態に係る画像処理装置１０とは異なる。プロファイルは、表示装置２０などのデバイスの色再現特性を記述するファイルであり、例えば、ＩＣＣ（International Color Consortium）により定義されるＩＣＣプロファイル形式である。
【００５９】
より具体的には、画像処理プログラム３０の特性取得部３８は、入力デバイスのプロファイルと予め決められたプロファイル（例えば、基準モニタのプロファイル）との比較結果から補正対象の色情報を取得する。比較対象は、例えば、色相、彩度等である。
【００６０】
図１１は、プロファイルに基いて解析されたトーンカーブを例示する図である。
図１１に例示するように、入力デバイスのプロファイルが解析された結果、Ｇ成分及びＢ成分のカーブは、γ＝２．２のカーブと略一致している一方、Ｒ成分のカーブは、γ＝２．２のカーブからずれていることがある。
【００６１】
この場合、画像処理プログラム３０の特性取得部３８は、Ｒ成分がずれている特性を取得する。このように、画像処理装置１０は、プロファイルを解析することにより、無彩色からずれている色成分及びそのずれ量を取得する。
【図面の簡単な説明】
【００６２】
【図１】本実施形態に係る画像処理装置１０のハードウェア構成を示す図である。
【図２】本実施形態に係る画像処理装置１０上で動作する画像処理プログラム３０の構成を示すブロック図である。
【図３】特性取得部３８による加法混色の特性を取得する手法を詳細に説明する図である。
【図４】変換手法決定部４０による変換方法を決定する手法を詳細に説明する図である。
【図５】本発明の実施形態に係る画像処理装置１０による画像処理（Ｓ１０）のフローチャートを示す。
【図６】特性取得部３８による加法混色の特性を取得する手法の第２の実施例を示す図である。
【図７】特性取得部３８による加法混色の特性を取得する手法の第３の実施例を示す図である。
【図８】特性取得部３８による加法混色の特性を取得する手法の第４の実施例を示す図である。
【図９】特性取得部３８による加法混色の特性を取得する手法の第５の実施例を示す図である。
【図１０】変換手法決定部４０による変換方法を決定する手法の異なる実施例を示す図である。
【図１１】プロファイルに基いて解析されたトーンカーブを例示する図である。
【符号の説明】
【００６３】
１０ 画像処理装置
１２ ＣＰう
１４ メモリ
１６ 記憶装置
１８ 通信装置
２０ 表示装置
２２ 入力装置
３０ 画像処理プログラム
３２ 第１の色空間変換部
３４ 色再現域変換部
３６ 第２の色空間変換部
３８ 特性取得部
４０ 変換手法決定部
【図１】
0004621998.tif 000002
【図２】
0004621998.tif 000003
【図３】
0004621998.tif 000004
【図４】
0004621998.tif 000005
【図５】
0004621998.tif 000006
【図６】
0004621998.tif 000007
【図７】
0004621998.tif 000008
【図８】
0004621998.tif 000009
【図９】
0004621998.tif 000010
【図１０】
0004621998.tif 000011
【図１１】
0004621998.tif 000012